(57)【要約】  本発明は、シェルター用パネルの内外板間に電磁吸着力を発生させて、内外板同士を吸い合せることでシェルター用パネルの充填物をパネルに押し込むプレス機を提供する。ベースを備え、前記ベースに第１内側サイドパネル、第２外側サイドパネルが設置され、前記第１内側サイドパネルの外壁と前記第２外側サイドパネルの対応面の内壁との間に、周辺の内外側面が密閉されたシェルター用パネルの製造用挟持室が構成されており、前記第１内側サイドパネルは、２つずつ平行に配置された第１サイドパネルアセンブリ、第２サイドパネルアセンブリ、第３サイドパネルアセンブリ、第４サイドパネルアセンブリの４組のサイドパネルアセンブリを含み、各々の前記サイドパネルアセンブリは、複数枚のサイドパネルユニットを対応したサイドパネルの長手方向に突き合せてなり、前記サイドパネルユニットはそれぞれ加熱モジュール、電磁モジュール、絶縁モジュールを含み、前記絶縁モジュールは前記加熱モジュールと電磁モジュールの間に設置される。  【選択図】図１
2019520217.tif 000002
【特許請求の範囲】
【請求項１】
プレス機であって、
ベースを備え、前記ベースに第１内側サイドパネル、第２外側サイドパネルが設置され、前記第１内側サイドパネルの外壁と前記第２外側サイドパネルの対応面の内壁との間に、周辺の内外側面が密閉されたシェルター用パネルの製造用挟持室が構成されており、前記第１内側サイドパネルは、２つずつ平行に配置された第１サイドパネルアセンブリ、第２サイドパネルアセンブリ、第３サイドパネルアセンブリ、第４サイドパネルアセンブリの４組のサイドパネルアセンブリを含み、各々の前記サイドパネルアセンブリは、複数枚のサイドパネルユニットを対応したサイドパネルの長手方向に突き合せてなり、前記サイドパネルユニットはそれぞれ加熱モジュール、電磁モジュール、絶縁モジュールを含み、前記絶縁モジュールは前記加熱モジュールと電磁モジュールの間に設置され、隣接する前記サイドパネルユニットの間にある加熱モジュールは互いに接続されるように配置され、隣接する前記サイドパネルユニットの間にある電磁モジュールは互いに接続されるように配置されることを特徴とするプレス機。
【請求項２】
前記サイドパネルユニットの内壁に内へ突起する位置決めネジ構造が設置され、前記ベースにおいて前記位置決めネジ構造に対応した位置に位置決めスタッドが設置され、四角柱の底部が前記位置決めスタッドにネジ接続され、各々の前記四角柱は対応位置にある位置決めネジ構造に対応した位置にネジ貫通孔が設置され、スタッドは対応位置にあるネジ貫通孔にネジ接続されて、ネジ構造を位置決めすることを特徴とする請求項１に記載のプレス機。
【請求項３】
各々の前記サイドパネルユニットの内壁に、上下に配列されて内へ突起する位置決めネジ構造が２つ設置されることを特徴とする請求項２に記載のプレス機。
【請求項４】
各々の前記サイドパネルアセンブリの両端はそれぞれ角板状サイドパネルユニットであり、前記角板状サイドパネルユニットの外端は４５°の面取り構造になり、隣接する前記サイドパネルアセンブリの対応端の位置には対応した角板状サイドパネルユニットは突き合せられることを特徴とする請求項３に記載のプレス機。
【請求項５】
角板状サイドパネルユニットの位置にあるベースに固定して装着された接続四角柱対応して、垂直方向にある２つのネジ貫通孔が設置され、第１スタッド、第２スタッドはそれぞれ対応位置にあるネジ貫通孔にネジ接続され、角板状サイドパネルユニットの位置決めネジ構造に対応することを特徴とする請求項４に記載のプレス機。
【請求項６】
サイドパネルユニットの構造であって、
加熱モジュール、電磁モジュール、絶縁モジュールを含み、前記絶縁モジュールは前記加熱モジュールと電磁モジュールの間に設置され、
前記加熱モジュールは具体的に加熱コイル、加熱コイルスロット付き板及び加熱カバーを含み、前記加熱コイルスロット付き板にコイルスロットが開けられており、前記加熱コイルは前記コイルスロットに設置され、前記加熱カバーは前記加熱コイルスロット付き板の外側面にカバーされ、
前記絶縁モジュールは具体的に電磁遮断板であり、
前記電磁モジュールは具体的に電磁コイル、電磁コイルスロット付き板及び電磁カバーを含み、前記電磁コイルスロット付き板に複数の電磁コイルスロットが設置され、前記電磁コイルは対応した前記電磁コイルスロットに嵌設され、隣接する電磁コイル同士は直列接続され、前記電磁カバーは前記電磁コイルスロット付き板の外側面にカバーされ、前記電磁遮断板の両端面にそれぞれ前記加熱コイルスロット付き板の内側面、電磁コイルスロット付き板の内側面が粘着されていることを特徴とするサイドパネルユニットの構造。
【請求項７】
前記加熱コイルスロット付き板に、それぞれ隣接するサイドパネルユニットに向かうコイル張出溝がさらに設置され、前記加熱コイルの対応線が対応したコイル張出溝を介して隣接する前記サイドパネルユニットの加熱コイルに接続されることを特徴とする請求項６に記載のサイドパネルユニットの構造。
【請求項８】
前記電磁コイルスロット付き板には、同一ユニットの隣接する電磁コイル間に対応して、電磁コイル内部延伸溝が設置され、同一ユニットサイドパネルの隣接する電磁コイル同士は対応した電磁コイル内部延伸溝間の導体により互いに直列接続され、前記電磁コイルスロット付き板の一端部の電磁コイルスロットは、一側の隣接するサイドパネルユニットに向かう電磁コイル張出溝が開けられ、前記電磁コイルスロット付き板の他端部の電磁コイルスロットは、他側の隣接するサイドパネルユニットに向かう電磁コイル張出溝が開けられ、２つの電磁コイル張出溝内に導体が設置されて、隣接するサイドパネルユニットの電磁コイルを直列接続することを特徴とする請求項６に記載のサイドパネルユニットの構造。
【請求項９】
前記電磁モジュールは前記電磁遮断板の内壁に位置し、前記加熱モジュールは前記電磁遮断板の外壁に位置するように配置され、前記電磁カバーの内壁に内へ突起する位置決めネジ構造が設置されることを特徴とする請求項６に記載のサイドパネルユニットの構造。
【請求項１０】
前記電磁遮断板の内壁の一側に内側係合口、前記電磁遮断板の外壁の他側に外側係合口があり、前記電磁モジュールは前記電磁遮断板の内壁端面に密着するように配置され、前記加熱モジュールは前記電磁遮断板の外側面に密着するように配置されることを特徴とする請求項９に記載のサイドパネルユニットの構造。
【発明の詳細な説明】
【技術分野】
【０００１】
本発明は、シェルター用パネルを製造する技術分野に関し、具体的には、プレス機に関し、本発明はさらに、プレス機に対応したサイドパネルユニット構造を提供する。
【背景技術】
【０００２】
従来、シェルター用パネルを製造する際、機械的締付け力と対応した加熱温度が必要であり、加熱装置と機械的締付け構造を設置しなければならないことにより、構造が複雑になり、且つ従来のプレス機は、シェルター用パネルだけをプレスできるが、シェルター本体を製造できない。
【発明の概要】
【発明が解決しようとする課題】
【０００３】
上記問題に対して、本発明は、シェルター用パネルの内外板間に電磁吸着力を発生させて、内外板同士を吸い合せることでシェルター用パネルの充填物をパネルに押し込み、且つプレス温度を保持でき、シェルターを高速且つ簡便に製造できる上、サイドパネルが複数組のサイドパネルユニットを突き合わせてなるものであるため、各種寸法のシェルターに応じて組み立てることが可能であり、このように、シェルターを製造する際に一次成形ができるプレス機を提供し、本発明はさらにプレス機に対応したサイドパネルユニットの構造を提供する。
【課題を解決するための手段】
【０００４】
プレス機であって、
ベースを備え、前記ベースに第１内側サイドパネル、第２外側サイドパネルが設置され、前記第１内側サイドパネルの外壁と前記第２外側サイドパネルの対応面の内壁との間に、周辺の内外側面が密閉されたシェルター用パネルの製造用挟持室が構成されており、前記第１内側サイドパネルは、２つずつ平行に配置された第１サイドパネルアセンブリ、第２サイドパネルアセンブリ、第３サイドパネルアセンブリ、第４サイドパネルアセンブリの４組のサイドパネルアセンブリを含み、各々の前記サイドパネルアセンブリは、複数枚のサイドパネルユニットを対応したサイドパネルの長手方向に突き合せてなり、前記サイドパネルユニットはそれぞれ加熱モジュール、電磁モジュール、絶縁モジュールを含み、前記絶縁モジュールは前記加熱モジュールと電磁モジュールの間に設置され、隣接する前記サイドパネルユニットの間にある加熱モジュールは互いに接続されるように配置され、隣接する前記サイドパネルユニットの間にある電磁モジュールは互いに接続されるように配置されることを特徴とする。
【０００５】
さらに、前記サイドパネルユニットの内壁に内へ突起する位置決めネジ構造が設置され、前記ベースにおいて前記位置決めネジ構造に対応した位置に位置決めスタッドが設置され、四角柱の底部が前記位置決めスタッドにネジ接続され、各々の前記四角柱は対応位置にある位置決めネジ構造に対応した位置にネジ貫通孔が設置され、スタッドは対応位置にあるネジ貫通孔にネジ接続されて、ネジ構造を位置決めすること、
好ましくは、各々の前記サイドパネルユニットの内壁に、上下に配列されて内へ突起する位置決めネジ構造が２つ設置され、このように安定的且つ確実に位置決めできること、
各々の前記サイドパネルアセンブリの両端はそれぞれ角板状サイドパネルユニットであり、前記角板状サイドパネルユニットの外端は４５°の面取り構造になり、隣接する前記サイドパネルアセンブリの対応端の位置には対応した角板状サイドパネルユニットは突き合せられること、
角板状サイドパネルユニットの位置にあるベースに固定して装着された接続四角柱対応して、垂直方向にある２つのネジ貫通孔が設置され、第１スタッド、第２スタッドはそれぞれ対応位置にあるネジ貫通孔にネジ接続され、角板状サイドパネルユニットの位置決めネジ構造に対応することを特徴とする。
【０００６】
サイドパネルユニットの構造であって、
加熱モジュール、電磁モジュール、絶縁モジュールを含み、前記絶縁モジュールは前記加熱モジュールと電磁モジュールの間に設置され、
前記加熱モジュールは具体的に加熱コイル、加熱コイルスロット付き板及び加熱カバーを含み、前記加熱コイルスロット付き板にコイルスロットが開けられており、前記加熱コイルは前記コイルスロットに設置され、前記加熱カバーは前記加熱コイルスロット付き板の外側面にカバーされ、
前記絶縁モジュールは具体的に電磁遮断板であり、
前記電磁モジュールは具体的に電磁コイル、電磁コイルスロット付き板及び電磁カバーを含み、前記電磁コイルスロット付き板に複数の電磁コイルスロットが設置され、前記電磁コイルは対応した前記電磁コイルスロットに嵌設され、隣接する電磁コイル同士は直列接続され、前記電磁カバーは前記電磁コイルスロット付き板の外側面にカバーされ、前記電磁遮断板の両端面にそれぞれ前記加熱コイルスロット付き板の内側面、電磁コイルスロット付き板の内側面が粘着されていることを特徴とする。
【０００７】
さらに、前記加熱コイルスロット付き板に、それぞれ隣接するサイドパネルユニットに向かうコイル張出溝がさらに設置され、前記加熱コイルの対応線が対応したコイル張出溝を介して隣接する前記サイドパネルユニットの加熱コイルに接続されること、
前記電磁コイルスロット付き板に、同一ユニットの隣接する電磁コイル間に対応して、電磁コイル内部延伸溝が設置され、同一ユニットサイドパネルの隣接する電磁コイル同士は対応した電磁コイル内部延伸溝間の導体により互いに直列接続され、前記電磁コイルスロット付き板の一端部の電磁コイルスロットは、一側の隣接するサイドパネルユニットに向かう電磁コイル張出溝が開けられ、前記電磁コイルスロット付き板の他端部の電磁コイルスロットは、他側の隣接するサイドパネルユニットに向かう電磁コイル張出溝が開けられ、２つの電磁コイル張出溝内に導体が設置されて、隣接するサイドパネルユニットの電磁コイルを直列接続すること、
好ましくは、前記電磁モジュールは前記電磁遮断板の内壁に位置し、前記加熱モジュールは前記電磁遮断板の外壁に位置するように配置され、前記電磁カバーの内壁に内へ突起する位置決めネジ構造が設置されること、
前記電磁遮断板の内壁の一側に内側係合口、前記電磁遮断板の外壁の他側に外側係合口があり、前記電磁モジュールは前記電磁遮断板の内壁端面に密着するように配置され、前記加熱モジュールは前記電磁遮断板の外側面に密着するように配置され、このよに、隣接するサイドパネルユニットを端面を揃えて迅速に組み立てることができ、組み立ての効率、操作性を確保できることを特徴とする。
【発明の効果】
【０００８】
本発明の構造を用いると、シェルター用パネルの内外板を挟持室内に入れて、内外板間に充填物を注入し、電磁モジュールと対応した加熱モジュールを起動させ、シェルター用パネルの内外板間に電磁吸着力を発生させて、内外板同士を吸い合せることでシェルター用パネルの充填物をパネルに押し込み、且つプレス温度を保持でき、シェルターを高速且つ簡便に製造できる上、サイドパネルが複数組のサイドパネルユニットを突き合わせてなるものであるため、各種寸法のシェルターに応じて組み立てることが可能であり、このように、シェルターを製造する際に一次成形ができ、且つシェルター用パネルの製造装置のコストを削減させる。
【図面の簡単な説明】
【０００９】
【図１】本発明によるプレス機の上面構造模式図である。
【図２】図１のＡ−Ａ矢視構造模式図である。
【図３】本発明によるサイドパネルユニット構造の正面構造模式図（部分断面図）である。
【図４】図３の側面構造模式図である。
【図５】図３のＢ−Ｂ矢視構造模式図である。
【図６】図３のＣ−Ｃ矢視構造模式図である。
【発明を実施するための形態】
【００１０】
図１〜図６に示されるように、プレス機はベース１を備え、ベース１に第１内側サイドパネル２、第２外側サイドパネル３が設置され、第１内側サイドパネル２の外壁と第２外側サイドパネル３の対応面の内壁との間に、周辺の内外側面が密閉されたシェルター用パネルの製造用挟持室４が構成されており、第１内側サイドパネル２は、２つずつ平行に配置された第１サイドパネルアセンブリ２１、第２サイドパネルアセンブリ２２、第３サイドパネルアセンブリ２３、第４サイドパネルアセンブリ２４の４組のサイドパネルアセンブリを含み、各々のサイドパネルアセンブリは、複数枚のサイドパネルユニット５を対応したサイドパネルの長手方向に突き合せてなり、各々のサイドパネルユニット５は加熱モジュール６、電磁モジュール７、絶縁モジュール８を含み、絶縁モジュール８は加熱モジュール６と電磁モジュール７の間に設置され、隣接するサイドパネルユニット５の間にある加熱モジュール６は互いに接続されるように配置され、隣接するサイドパネルユニット５の間にある電磁モジュール７は互いに接続されるように配置される。
【００１１】
サイドパネルユニット５の内壁に内へ突起する位置決めネジ構造９が設置され、ベース１において位置決めネジ構造９に対応した位置に位置決めスタッド１０が設置され、四角柱１１の底部が位置決めスタッド１０にネジ接続され、各々の四角柱１１は対応位置にある位置決めネジ構造１０に対応した位置にネジ貫通孔が設置され、スタッド１２は対応位置にあるネジ貫通孔にネジ接続されて、ネジ構造１０を位置決めし、このように、隣接するサイドパネルユニット５はベース１に強固に接続され、且つ、隣接するサイドパネルユニット５はシームレスに緊密に接続される。
実施例では、各々のサイドパネルユニット５の内壁に、上下に配列されて内へ突起する位置決めネジ構造１０が２つ設置されることにより、位置決めを安定的且つ確実に行う。
各々のサイドパネルアセンブリの両端は角板状サイドパネルユニット５１であり、角板状サイドパネルユニット５１の外端は４５°の面取り構造５１になり、隣接するサイドパネルアセンブリの対応端の位置には対応した角板状サイドパネルユニット５１は突き合せられる。
角板状サイドパネルユニット５１の位置にあるベースに固定して装着された接続四角柱１１１に対応して、垂直方向にある２つのネジ貫通孔が設置され、第１スタッド１２１、第２スタッド１２２はそれぞれ対応位置にあるネジ貫通孔にネジ接続され、角板状サイドパネルユニット５１の位置決めネジ構造に対応する。
【００１２】
図３〜図６に示されるように、サイドパネルユニットの構造は、加熱モジュール６、電磁モジュール７、絶縁モジュール８を含み、絶縁モジュール８は加熱モジュール６と電磁モジュール７の間に設置され、加熱モジュール６は具体的に加熱コイル６１、加熱コイルスロット付き板６２及び加熱カバー６３を含み、加熱コイルスロット付き板６２にコイルスロット６４が開けられており、加熱コイル６１はコイルスロット６４に設置され、加熱カバー６３は加熱コイルスロット付き板６２の外側面にカバーされ、絶縁モジュール８は具体的に電磁遮断板であり、電磁モジュール７は具体的に電磁コイル７１、電磁コイルスロット付き板７２及び電磁カバー７３を含み、電磁コイルスロット付き板７２に複数の電磁コイルスロット７４が設置され、電磁コイル７１は対応した電磁コイルスロット７４に嵌設され、隣接する電磁コイル７１同士は直列接続され、電磁カバー７３は電磁コイルスロット付き板７２の外側面にカバーされ、電磁遮断板の両端面にそれぞれ加熱コイルスロット付き板６２の内側面、電磁コイルスロット付き板７２の内側面が粘着されている。
【００１３】
加熱コイル６１、加熱コイルスロット付き板６２及び加熱カバー６３が高接着性を有する接着性物質で密着されることにより、加熱モジュール６を強固に結合して、プレス過程での脱落を避ける。
電磁コイル７１、電磁コイルスロット付き板７２及び電磁カバー７３が高接着性を有する接着性物質で密着されることにより（加熱モジュールと同様である）、電磁モジュール７を強固に結合して、プレス過程での脱落を避ける。
【００１４】
加熱コイルスロット付き板６２に、それぞれ隣接するサイドパネルユニットに向かうコイル張出溝６５がさらに設置され、加熱コイル６１の対応線が対応したコイル張出溝６５を介して隣接するサイドパネルユニット５の加熱コイル６１に接続される。
加熱コイル６１は寸法及び嵌合関係に応じて、加熱コイルスロット付き板６２に固定して取り付けられ、且つ、ほかのサイドパネルユニット５の加熱コイルに接続できるように、コイルの張出端を張出溝に正確に設置し、加熱コイルがバラバラにならないように加熱コイルは構造上充填物と一体化されており、加熱コイルの材料として主に抵抗線が使用され、通電すると熱エネルギーを発生させて、温度を上げて、さらに温度は電流の増大について上昇し、つまり、温度は流れる電流により制御でき、このように、シェルター用パネルをプレスするときに必要な温度を保持できるとともに、長期間の保温効果を果たす。
通電した加熱コイルは、物理的な材料が抵抗線であるため、原則として電磁効果を発生させることがないが、実際に弱い磁気効果を発生させるため、電磁モジュールによる電磁効果向上に役立つ。
加熱カバー６３は主に、加熱コイル６１を加熱コイルスロット付き板６２に密閉させて、加熱コイル６１の脱落を防止する役割を果たす。
【００１５】
電磁コイルスロット付き板７３に、同一ユニットの隣接する電磁コイル７１間に対応して、電磁コイル内部延伸溝７５が設置され、同一ユニットサイドパネル５の隣接する電磁コイル７１同士は対応した電磁コイル内部延伸溝７５間の導体により互いに直列接続され、電磁コイルスロット付き板７３の一端部の電磁コイルスロット７４は、一側の隣接するサイドパネルユニットに向かう電磁コイル張出溝７６が開けられ、電磁コイルスロット付き板７３の他端部の電磁コイルスロット７４は、他側の隣接するサイドパネルユニットに向かう電磁コイル張出溝７６が開けられ、２つの電磁コイル張出溝７６内に導体が設置されて、隣接するサイドパネルユニット５の電磁コイル７１を直列接続する。
電磁モジュール７の各部分は寸法及び嵌合関係に応じて、順に取り付けられ、電磁コイル７１は電磁コイルスロット付き板７２に固定して取り付けられ、サイドパネルユニットの電磁モジュールに少なくとも３つのコイル層が含まれるため、取り付けられた後、隣接するサイドパネルユニット５の電磁コイルが正確に接続されるように、両端の電磁コイル７１の張出端を正確に電磁コイル張出溝７６に配置しなければならない。
中間コイル７１１は、両端の電磁コイルに正確に接続されるように、内部延伸端を電磁コイル内部延伸溝７５に正確に配置するように取り付けられなければならない。
電磁コイルの構造は、加熱コイルと同様に、加熱コイルがバラバラにならないように、充填物と一体化されており、安定性が確保される。
電磁コイルに使用されるコアは、スチールでなく、軟鉄で製造されるものである。スチールを使用すると、一旦磁化したら、磁性を永久的に保持して消磁することができず、それによって、磁性の強度は電流の大きさにより制御できなくなり、電磁石に備える利点が失われてしまう。コアの材料は通常純鉄ではなく、四三酸化鉄を用いる。電磁石のコアは磁石の磁性を増大するもので、透磁率が１より遥かに大きい材料であればよい。たとえば、マンガン、コバルト等の金属の酸化物が挙げられる。透磁率が大きいほど、重畳磁場は大きくなる。鉄に比べて、ほかの金属は透磁率が低い上、高価であるため、一般的に好ましくない。現在、鉄の合金は材料として使用されるのが一般的であり、たとえば新材料としてのＭｎ−Ｚｎフェライト材料は、透磁率が約１８０００である。
【００１６】
電磁コイル７１の材料は主に適切な太さを有する銅線であり、通電すると、磁界を発生させ、たとえば２．１．３が挙げられ、コアと組み合わせることで、磁界の強度を大幅に高める。磁界の強度は磁気吸引力として示され、且つ磁気吸引力は電流の増大につれて高まり、すなわち、磁気吸引力は流れる電流により制御でき、このようにして、シェルター用パネルをプレスするときに必要な締め付け力を確保するとともに、持続的に締め付ける効果を奏する。
【００１７】
電磁コイル７１は磁界を発生させるものであり、磁界強度はさらに別の要因であるコイルの巻数にもよる。理論的に、コイルの巻数を約３００〜５００巻にすればよい。
【００１８】
電磁カバー７３は主に、電磁コイル７１を電磁コイルスロット付き板７２に密閉させて、電磁コイル７１の作動過程での脱落等を防止する役割を果たす。
【００１９】
実施例では、電磁モジュール７は電磁遮断板の内壁に位置し、加熱モジュール６は電磁遮断板の外壁に位置するように配置され、電磁カバー７３の内壁に、内へ突起する位置決めネジ構造９が設置され、電磁遮断板は電磁モジュール７がシェルター用パネルの内外板間で形成する電磁吸着力に影響しない。
電磁遮断板の内壁の一側に内側係合口８１、電磁遮断板の外壁の他側に外側係合口８２があり、電磁モジュール７は電磁遮断板の内壁の端面に密着するように配置され、加熱モジュール６は電磁遮断板の外側面に密着するように配置され、このようにして、隣接するサイドパネルユニット５同士を端面を揃えて取り付けることができ、取付の効率及び操作性を確保する。
【００２０】
以上、本発明の実施例について詳細に説明したが、内容は本発明の好適実施例に過ぎず、本発明の実施範囲を制限するものではない。本発明の出願範囲を逸脱せずに想到し得る等価変化や改良等はすべて本特許の保護範囲に属する。
【符号の説明】
【００２１】
ベース１、第１内側サイドパネル２、第１サイドパネルアセンブリ２１、第２サイドパネルアセンブリ２２、第３サイドパネルアセンブリ２３、第４サイドパネルアセンブリ２４
第２外側サイドパネル３、挟持室４、サイドパネルユニット５、角板状サイドパネルユニット５１
加熱モジュール６、加熱コイル６１、加熱コイルスロット付き板６２、加熱カバー６３、コイルスロット６４、コイル張出溝６５
電磁モジュール７、電磁コイル７１、中間コイル７１１、電磁コイルスロット付き板７２、電磁カバー７３、電磁コイルスロット７４、電磁コイル内部延伸溝７５、電磁コイル張出溝７６
絶縁モジュール８、内側係合口８１、外側係合口８２
位置決めネジ構造９、位置決めスタッド１０、四角柱１１、接続四角柱１１１、スタッド１２、第１スタッド１２１、第２スタッド１２２。
【図１】
2019520217.tif 000003
【図２】
2019520217.tif 000004
【図３】
2019520217.tif 000005
【図４】
2019520217.tif 000006
【図５】
2019520217.tif 000007
【図６】
2019520217.tif 000008
【国際調査報告】
2019520217.tif 000009
2019520217.tif 000010
2019520217.tif 000011
2019520217.tif 000012